(57)【要約】【課題】  パケットサービスのための移動局の呼接続率を向上し、セッション確立手順の信頼性を向上し得る移動通信システム及びそのセッション解除方法を提供する。【解決手段】  本発明に係る移動通信システムのセッション解除方法は、基地局から移動局に無線呼解除メッセージが受信されると、前記受信された無線呼解除メッセージに含まれた基地局情報を検査する段階と、前記検査結果に基づいて現在確立されているパケットサービスのセッションを局部的に解除する段階と、を含む。【選択図】  図１
2006005936.tif 000002
【特許請求の範囲】
【請求項１】
基地局から移動局に無線呼解除メッセージが受信されると、前記受信された無線呼解除メッセージに含まれた基地局情報を検査する段階と、
前記検査結果に基づいて現在確立されているパケットサービスのセッションを局部的に解除する段階と、
を含むことを特徴とする移動通信システムのセッション解除方法。
【請求項２】
前記検査結果に基づいて現在確立されているパケットサービスのセッションを局部的に解除する段階は、
前記検査結果から前記基地局情報が「Ｎｏｒｍａｌ」であると、「ｐｄｐ＿ｓｔａｔｅ」が「Ｉｎａｃｔｉｖｅ＿ｐｅｎｄｉｎｇ  ｓｔａｔｅ」であるセッションを解除し、前記基地局情報が「ＲＬ  Ｆａｉｌｕｒｅ」であると、「ｐｄｐ＿ｓｔａｔｅ」が「Ｉｎａｃｔｉｖｅ＿ｐｅｎｄｉｎｇ  ｓｔａｔｅ」又は「ａｃｔｉｖｅ  ｓｔａｔｅ」であるセッションを解除し、前記基地局情報が「Ｎｏｒｍａｌ」でなく、「ＲＬ  Ｆａｉｌｕｒｅ」でもないと、前記現在確立されているパケットサービスのセッションを維持することを特徴とする請求項１に記載の移動通信システムのセッション解除方法。
【請求項３】
前記基地局情報が「Ｎｏｒｍａｌ」であると、前記パケットサービスのセッションが正常に解除されたと認識することを特徴とする請求項２に記載の移動通信システムのセッション解除方法。
【請求項４】
前記基地局情報が「ＲＬ  Ｆａｉｌｕｒｅ」であると、通信ネットワークに問題が発生したと認識することを特徴とする請求項２に記載の移動通信システムのセッション解除方法。
【請求項５】
前記「ｐｄｐ＿ｓｔａｔｅ」が「Ｉｎａｃｔｉｖｅ＿ｐｅｎｄｉｎｇ  ｓｔａｔｅ」であるということは、前記移動局が前記基地局に前記パケットサービスのセッション解除を要求した状態であることを示すことを特徴とする請求項２に記載の移動通信システムのセッション解除方法。
【請求項６】
前記「ｐｄｐ＿ｓｔａｔｅ」が「ａｃｔｉｖｅ  ｓｔａｔｅ」であるということは、前記パケットサービスが実行中であることを示すことを特徴とする請求項２に記載の移動通信システムのセッション解除方法。
【請求項７】
移動局から基地局に呼解除要求メッセージを送信する段階と、
前記基地局から前記移動局に呼解除応答メッセージは受信されずに無線呼解除メッセージのみが受信されると、前記移動局から前記基地局に無線呼解除完了メッセージを送信し、前記受信された無線呼解除メッセージに含まれた基地局情報を検査する段階と、
前記検査結果から前記基地局情報が「Ｎｏｒｍａｌ」であると、現在確立されているパケットサービスのセッションを解除する段階と、
を含むことを特徴とする移動通信システムのセッション解除方法。
【請求項８】
前記検査結果から前記基地局情報が「Ｎｏｒｍａｌ」であると、現在確立されているパケットサービスのセッションを解除する段階は、
前記現在確立されているパケットサービスのセッションのうち「ｐｄｐ＿ｓｔａｔｅ」が「Ｉｎａｃｔｉｖｅ＿ｐｅｎｄｉｎｇ  ｓｔａｔｅ」であるセッションを局部的に解除することを特徴とする請求項７に記載の移動通信システムのセッション解除方法。
【請求項９】
前記基地局情報が「Ｎｏｒｍａｌ」であると、前記パケットサービスのために確立されたセッションが正常に解除されたと認識することを特徴とする請求項７に記載の移動通信システムのセッション解除方法。
【請求項１０】
パケットサービスの実行中に、基地局から移動局に無線呼解除メッセージが受信されると、前記受信された無線呼解除メッセージに含まれた基地局情報を検査する段階と、
前記基地局情報が「ＲＬ  Ｆａｉｌｕｒｅ」であると、現在確立されているパケットサービスのセッションを解除する段階と、
を含むことを特徴とする移動通信システムのセッション解除方法。
【請求項１１】
前記基地局情報が「ＲＬ  Ｆａｉｌｕｒｅ」であると、現在確立されているパケットサービスのセッションを解除する段階は、
前記現在確立されているパケットサービスのセッションのうち「ｐｄｐ＿ｓｔａｔｅ」が「Ｉｎａｃｔｉｖｅ＿ｐｅｎｄｉｎｇ  ｓｔａｔｅ」又は「ａｃｔｉｖｅ  ｓｔａｔｅ」であるセッションを局部的に解除することを特徴とする請求項１０に記載の移動通信システムのセッション解除方法。
【請求項１２】
前記基地局情報が「ＲＬ  Ｆａｉｌｕｒｅ」であると、通信ネットワークに問題が発生したと認識することを特徴とする請求項１０に記載の移動通信システムのセッション解除方法。
【請求項１３】
無線呼解除メッセージを移動局に送信する基地局と、
前記基地局から前記無線呼解除メッセージが受信されると、前記受信された無線呼解除メッセージに含まれた基地局情報を検査し、前記検査結果に基づいて現在確立されているパケットサービスのセッションを局部的に解除する移動局と、
を含むことを特徴とする移動通信システム。
【請求項１４】
前記移動局が、
前記検査結果から前記基地局情報が「Ｎｏｒｍａｌ」であると、現在確立されているパケットサービスのセッションを解除することを特徴とする請求項１３に記載の移動通信システム。
【請求項１５】
前記移動局が、
前記現在確立されているパケットサービスのセッションのうち「ｐｄｐ＿ｓｔａｔｅ」が「Ｉｎａｃｔｉｖｅ＿ｐｅｎｄｉｎｇ  ｓｔａｔｅ」であるセッションを局部的に解除することを特徴とする請求項１４に記載の移動通信システム。
【請求項１６】
前記移動局が、
前記検査結果から前記基地局情報が「ＲＬ  Ｆａｉｌｕｒｅ」であると、現在確立されているパケットサービスのセッションを解除することを特徴とする請求項１３に記載の移動通信システム。
【請求項１７】
前記移動局が、
前記現在確立されているパケットサービスのセッションのうち「ｐｄｐ＿ｓｔａｔｅ」が「Ｉｎａｃｔｉｖｅ＿ｐｅｎｄｉｎｇ  ｓｔａｔｅ」又は「ａｃｔｉｖｅ  ｓｔａｔｅ」であるセッションを局部的に解除することを特徴とする請求項１６に記載の移動通信システム。
【請求項１８】
前記移動局が、
前記検査結果から前記基地局情報が「Ｎｏｒｍａｌ」でなく、「ＲＬ  Ｆａｉｌｕｒｅ」でもないと、現在確立されているパケットサービスのセッションを維持することを特徴とする請求項１３に記載の移動通信システム。
【請求項１９】
呼解除要求メッセージを基地局に送信した後、前記基地局から呼解除応答メッセージは受信されずに無線呼解除メッセージのみが受信されると、前記基地局に無線呼解除完了メッセージを送信し、前記受信された無線呼解除メッセージに含まれた基地局情報を検査し、前記検査結果に基づいて、現在確立されているパケットサービスのセッションを局部的に解除する移動局と、
前記移動局から送信された前記呼解除要求メッセージを受信した後、前記移動局に呼解除応答メッセージ及び無線呼解除メッセージを送信する基地局と、
を含むことを特徴とする移動通信システム。
【請求項２０】
前記移動局が、
前記検査結果から前記基地局情報が「Ｎｏｒｍａｌ」であると、現在確立されているパケットサービスのセッションのうち「ｐｄｐ＿ｓｔａｔｅ」が「Ｉｎａｃｔｉｖｅ＿ｐｅｎｄｉｎｇ  ｓｔａｔｅ」であるセッションを局部的に解除することを特徴とする請求項１９に記載の移動通信システム。
【請求項２１】
前記移動局が、
前記検査結果から前記基地局情報が「ＲＬ  Ｆａｉｌｕｒｅ」であると、現在確立されているパケットサービスのセッションのうち「ｐｄｐ＿ｓｔａｔｅ」が「Ｉｎａｃｔｉｖｅ＿ｐｅｎｄｉｎｇ  ｓｔａｔｅ」又は「ａｃｔｉｖｅ  ｓｔａｔｅ」であるセッションを局部的に解除することを特徴とする請求項１９に記載の移動通信システム。
【請求項２２】
前記移動局が、
前記検査結果から前記基地局情報が「Ｎｏｒｍａｌ」でなく、「ＲＬ  Ｆａｉｌｕｒｅ」でもないと、現在確立されているパケットサービスのセッションを維持することを特徴とする請求項１９に記載の移動通信システム。
【発明の詳細な説明】
【技術分野】
【０００１】
本発明は、移動通信システムに係るもので、詳しくは、前記移動通信システムの移動局と基地局との間の呼接続率を向上し得る移動通信システム及びそのセッション解除方法に関する。
【背景技術】
【０００２】
通常、第３世代移動通信システム（３ｒｄ  Ｇｅｎｅｒａｔｉｏｎ  Ｍｏｂｉｌｅ  Ｔｅｌｅｃｏｍｍｕｎｉｃａｔｉｏｎ  Ｓｙｓｔｅｍｓ）は、移動通信加入者（ｓｕｂｓｃｒｉｂｅｒ）達に対し、どこからも、誰とでも通信可能なサービスを提供することを目指す移動通信システムである。前記移動通信システムは、既存の携帯電話サービスを基本的に提供し、既存の有線通信ネットワーク、超高速情報通信ネットワーク、人工衛星とも連係して、音声及びファックスなどのデータをはじめ、オーディオ、ビデオなどの多様なマルチメディアデータを最大２Ｍｂｐｓの伝送速度（ｄａｔａ  ｔｒａｎｓｆｅｒ  ｒａｔｅ）で伝送し得るサービスを提供する。前記第３世代移動通信システムは、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）といい、ヨーロッパではユニバーサル移動通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：  ＵＭＴＳ）と呼ばれる。現在は、前記第３世代移動通信システムのマルチメディアサービスから進歩した第４世代移動通信システムが開発されつつである。前記移動通信システムは、データの効率的な高速伝送を可能にするパケットサービスを提供することが特徴である。
【０００３】
以下、図３及び図４を参照して、従来技術に係る移動通信システムのパケットサービスのセッション解除方法を説明する。
【０００４】
図３は、一般の移動通信システムを示す図である。
【０００５】
図３に示すように、一般の移動通信システムは、基地局（ｂａｓｅ  ｓｔａｔｉｏｎ：  ＢＳ）３０に呼信号を送信して、セッション確立（ｓｅｓｓｉｏｎ  ｅｓｔａｂｌｉｓｈｍｅｎｔ）手順を経て必要なセッションを確立した後、音声通話又はデータ通信を実行する移動局（ｍｏｂｉｌｅ  ｓｔａｔｉｏｎ：  ＭＳ（移動通信端末機））１０、２０と、移動局１０、２０から伝送されるセッション手順信号を処理するか、外部システムから要求された着信号を前記移動局１０、２０に伝送し、ページングチャネルでセクター内の移動局１０、２０間のチャネル情報を処理する基地局３０と、基地局３０を通じて移動局１０、２０に接続されて移動局１０、２０にパケットサービスなどのデータ通信を提供するネットワーク４０とを含む。
【０００６】
図４は、移動通信システムの正常なパケットサービスの呼解除手順を示す説明図である。
【０００７】
従来は、移動通信加入者がパケットサービスを使用するためにＭＳ１０により呼接続を試みると、ＭＳ１０は、近接するＢＳ３０を介してネットワーク４０に接続し、パケットサービスのためのセッション確立手順を行って無線呼資源が割り当てられた後、前記パケットサービスが提供されていた。
【０００８】
前記パケットサービス中に移動通信加入者がＭＳ１０の呼を終了すると、ＭＳ１０は、前記パケットサービスのために設定されたセッション確立を解除することで、パケットサービスの呼解除要求メッセージ（Ｄｅａｃｔｉｖａｔｅ  ＰＤＰ（Ｐａｃｋｅｔ  Ｄａｔａ  Ｐｒｏｔｏｃｏｌ）  Ｃｏｎｔｅｘｔ  Ｒｅｑｕｅｓｔ）をＢＳ３０に送信して、ＢＳ３０の応答を待機する。ＢＳ３０は、ＭＳ１０から前記呼解除要求メッセージを受信した後、前記呼解除要求メッセージに対する応答として前記パケットサービスの呼を解除したことを通知するパケットサービスの呼解除応答メッセージ（Ｄｅａｃｔｉｖａｔｅ  ＰＤＰ  Ｃｏｎｔｅｘｔ  Ａｃｃｅｐｔ）をＭＳ１０に送信し、その後、無線呼解除メッセージ（ＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｌｅａｓｅ（ｃａｕｓｅ＝Ｎｏｒｍａｌ））をＭＳ１０に送信する。ここで、ＭＳ１０は、ＢＳ３０から前記呼解除応答メッセージ及び前記無線呼解除メッセージが受信されると、自身の呼を解除し、無線呼資源の解除を通知するための無線呼解除終了メッセージ（ＲＲＣ  Ｃｏｎｎｅｃｔｉｏｎ  Ｒｅｌｅａｓｅ  Ｃｏｍｐｌｅｔｅ）をＢＳ３０に送信する。こうして、前記パケットサービスのためのＭＳ１０とＢＳ３０との間のセッションが解除されることで、パケットサービスが終了される。
【０００９】
このとき、正常状況では、ＭＳ１０がＢＳ３０に呼解除要求メッセージを送信し、ＢＳ３０から呼解除応答メッセージを受信した後、無線呼資源を解除しなければならない。しかしながら、従来は、多様の原因により前記呼解除応答メッセージが伝送中に消失することにより、ＭＳ１０に前記呼解除応答メッセージが送信されないことがあるため、ＭＳ１０は、呼解除要求メッセージをＢＳ３０に繰り返して送信するようになる。併し、ＢＳ３０は、ＭＳ１０に既に呼解除応答メッセージを送信したので、パケットサービスを提供するためのセッションが解除されたと認識して、ＭＳ１０に無線呼解除メッセージを送信するようになる。
【００１０】
従って、従来技術に係る移動通信システムのセッション解除方法は、パケットサービスの呼解除応答メッセージが伝送中に消失されると、ＭＳとＢＳ間のセッション解除手順が正常に処理し得なくなるという問題点があった。すなわち、前記ＭＳ１０は、前記呼解除応答メッセージを受信していないため、パケットサービスのセッションが解除されなかったと認識して前記ＢＳに呼解除要求メッセージを繰り返して送信し、前記ＢＳは、既に前記ＭＳに前記呼解除応答メッセージを送信したので、前記パケットサービスのセッションが解除されたと誤認される。従って、前記ＭＳと前記ＢＳ間の移動通信ネットワーク状態が不一致になるため、次の呼を試みるときにＭＳの呼接続率が非常に低下するという問題点があった。
【発明の開示】
【発明が解決しようとする課題】
【００１１】
従って、本発明の目的は、パケットサービスの呼解除手順の実行中にＭＳがＢＳに送信した呼解除要求メッセージに対して前記ＢＳの呼解除応答メッセージを受信しなくても、後に前記ＢＳから受信される無線呼解除メッセージに含まれた基地局情報を検査した結果に基づいて前記ＭＳの無線呼資源を解除することにより、前記ＭＳの呼接続率を向上する移動通信システム及びそのセッション解除方法を提供することにある。
【００１２】
本発明の他の目的は、ＭＳが、パケットサービスの利用中にＢＳから受信された無線呼解除メッセージに含まれた基地局情報を利用して通信ネットワークの問題を把握し、前記基地局情報に基づいて問題が発生したサービスを中止した後、該当のセッション及び無線呼を解除することにより、セッション手順の信頼性を向上し得る移動通信システム及びそのセッション解除方法を提供することにある。
【課題を解決するための手段】
【００１３】
このような目的を達成するための本発明に係る移動通信システムのセッション解除方法は、基地局から移動局に無線呼解除メッセージが受信されると、前記受信された無線呼解除メッセージに含まれた基地局情報を検査する段階と、前記検査結果に基づいて現在確立されているパケットサービスのセッションを局部的に解除する段階と、を含むことを特徴とする。
【００１４】
また、このような目的を達成するための本発明に係る移動通信システムのセッション解除方法は、移動局から基地局に呼解除要求メッセージを送信する段階と、前記基地局から前記移動局に呼解除応答メッセージが受信されずに無線呼解除メッセージのみが受信されると、前記移動局から前記基地局に無線呼解除終了メッセージを送信し、前記受信された無線呼解除メッセージに含まれた基地局情報を検査する段階と、該検査結果、前記基地局情報が「Ｎｏｒｍａｌ」であると、現在確立されているパケットサービスのセッションを解除する段階と、を含んで行うことを特徴とする。
【００１５】
このような目的を達成するための本発明に係る移動通信システムのセッション解除方法は、パケットサービスの実行中に、基地局から移動局に無線呼解除メッセージが受信されると、前記受信された無線呼解除メッセージに含まれた基地局情報を検査する段階と、該基地局情報が「ＲＬ  Ｆａｉｌｕｒｅ」であると、現在確立されているパケットサービスのセッションを解除する段階と、を含んで行われることを特徴とする。
【００１６】
このような目的を達成するための本発明に係る移動通信システムは、無線呼解除メッセージを移動局に送信する基地局と、前記基地局から前記無線呼解除メッセージが受信されると、前記受信された無線呼解除メッセージに含まれた基地局情報を検査し、該検査結果に基づいて現在確立されているパケットサービスのセッションを局部的に解除する移動局と、を含むことを特徴とする。
【００１７】
このような目的を達成するための本発明に係る移動通信システムは、呼解除要求メッセージを基地局に送信した後、前記基地局から呼解除応答メッセージは受信されずに無線呼解除メッセージのみが受信されると、前記基地局に無線呼解除終了メッセージを送信し、前記受信された無線呼解除メッセージに含まれた基地局情報を検査し、該検査結果に基づいて、現在確立されているパケットサービスのセッションを局部的に解除する移動局と、前記移動局から送信された前記呼解除要求メッセージを受信した後、前記移動局に呼解除応答メッセージ及び無線呼解除メッセージをそれぞれ送信する基地局と、を含むことを特徴とする。
【００１８】
上記目的を達成するために、本発明は、例えば、以下の手段を提供する。
（項目１）
基地局から移動局に無線呼解除メッセージが受信されると、前記受信された無線呼解除メッセージに含まれた基地局情報を検査する段階と、
前記検査結果に基づいて現在確立されているパケットサービスのセッションを局部的に解除する段階と、
を含むことを特徴とする移動通信システムのセッション解除方法。
（項目２）
前記検査結果に基づいて現在確立されているパケットサービスのセッションを局部的に解除する段階は、
前記検査結果から前記基地局情報が「Ｎｏｒｍａｌ」であると、「ｐｄｐ＿ｓｔａｔｅ」が「Ｉｎａｃｔｉｖｅ＿ｐｅｎｄｉｎｇ  ｓｔａｔｅ」であるセッションを解除し、前記基地局情報が「ＲＬ  Ｆａｉｌｕｒｅ」であると、「ｐｄｐ＿ｓｔａｔｅ」が「Ｉｎａｃｔｉｖｅ＿ｐｅｎｄｉｎｇ  ｓｔａｔｅ」又は「ａｃｔｉｖｅ  ｓｔａｔｅ」であるセッションを解除し、前記基地局情報が「Ｎｏｒｍａｌ」でなく、「ＲＬ  Ｆａｉｌｕｒｅ」でもないと、前記現在確立されているパケットサービスのセッションを維持することを特徴とする項目１に記載の移動通信システムのセッション解除方法。
（項目３）
前記基地局情報が「Ｎｏｒｍａｌ」であると、前記パケットサービスのセッションが正常に解除されたと認識することを特徴とする項目２に記載の移動通信システムのセッション解除方法。
（項目４）
前記基地局情報が「ＲＬ  Ｆａｉｌｕｒｅ」であると、通信ネットワークに問題が発生したと認識することを特徴とする項目２に記載の移動通信システムのセッション解除方法。
（項目５）
前記「ｐｄｐ＿ｓｔａｔｅ」が「Ｉｎａｃｔｉｖｅ＿ｐｅｎｄｉｎｇ  ｓｔａｔｅ」であるということは、前記移動局が前記基地局に前記パケットサービスのセッション解除を要求した状態であることを示すことを特徴とする項目２に記載の移動通信システムのセッション解除方法。
（項目６）
前記「ｐｄｐ＿ｓｔａｔｅ」が「ａｃｔｉｖｅ  ｓｔａｔｅ」であるということは、前記パケットサービスが実行中であることを示すことを特徴とする項目２に記載の移動通信システムのセッション解除方法。
（項目７）
移動局から基地局に呼解除要求メッセージを送信する段階と、
前記基地局から前記移動局に呼解除応答メッセージは受信されずに無線呼解除メッセージのみが受信されると、前記移動局から前記基地局に無線呼解除完了メッセージを送信し、前記受信された無線呼解除メッセージに含まれた基地局情報を検査する段階と、
前記検査結果から前記基地局情報が「Ｎｏｒｍａｌ」であると、現在確立されているパケットサービスのセッションを解除する段階と、
を含むことを特徴とする移動通信システムのセッション解除方法。
（項目８）
前記検査結果から前記基地局情報が「Ｎｏｒｍａｌ」であると、現在確立されているパケットサービスのセッションを解除する段階は、
前記現在確立されているパケットサービスのセッションのうち「ｐｄｐ＿ｓｔａｔｅ」が「Ｉｎａｃｔｉｖｅ＿ｐｅｎｄｉｎｇ  ｓｔａｔｅ」であるセッションを局部的に解除することを特徴とする項目７に記載の移動通信システムのセッション解除方法。
（項目９）
前記基地局情報が「Ｎｏｒｍａｌ」であると、前記パケットサービスのために確立されたセッションが正常に解除されたと認識することを特徴とする項目７に記載の移動通信システムのセッション解除方法。
（項目１０）
パケットサービスの実行中に、基地局から移動局に無線呼解除メッセージが受信されると、前記受信された無線呼解除メッセージに含まれた基地局情報を検査する段階と、
前記基地局情報が「ＲＬ  Ｆａｉｌｕｒｅ」であると、現在確立されているパケットサービスのセッションを解除する段階と、
を含むことを特徴とする移動通信システムのセッション解除方法。
（項目１１）
前記基地局情報が「ＲＬ  Ｆａｉｌｕｒｅ」であると、現在確立されているパケットサービスのセッションを解除する段階は、
前記現在確立されているパケットサービスのセッションのうち「ｐｄｐ＿ｓｔａｔｅ」が「Ｉｎａｃｔｉｖｅ＿ｐｅｎｄｉｎｇ  ｓｔａｔｅ」又は「ａｃｔｉｖｅ  ｓｔａｔｅ」であるセッションを局部的に解除することを特徴とする項目１０に記載の移動通信システムのセッション解除方法。
（項目１２）
前記基地局情報が「ＲＬ  Ｆａｉｌｕｒｅ」であると、通信ネットワークに問題が発生したと認識することを特徴とする項目１０に記載の移動通信システムのセッション解除方法。
（項目１３）
無線呼解除メッセージを移動局に送信する基地局と、
前記基地局から前記無線呼解除メッセージが受信されると、前記受信された無線呼解除メッセージに含まれた基地局情報を検査し、前記検査結果に基づいて現在確立されているパケットサービスのセッションを局部的に解除する移動局と、
を含むことを特徴とする移動通信システム。
（項目１４）
前記移動局が、
前記検査結果から前記基地局情報が「Ｎｏｒｍａｌ」であると、現在確立されているパケットサービスのセッションを解除することを特徴とする項目１３に記載の移動通信システム。
（項目１５）
前記移動局が、
前記現在確立されているパケットサービスのセッションのうち「ｐｄｐ＿ｓｔａｔｅ」が「Ｉｎａｃｔｉｖｅ＿ｐｅｎｄｉｎｇ  ｓｔａｔｅ」であるセッションを局部的に解除することを特徴とする項目１４に記載の移動通信システム。
（項目１６）
前記移動局が、
前記検査結果から前記基地局情報が「ＲＬ  Ｆａｉｌｕｒｅ」であると、現在確立されているパケットサービスのセッションを解除することを特徴とする項目１３に記載の移動通信システム。
（項目１７）
前記移動局が、
前記現在確立されているパケットサービスのセッションのうち「ｐｄｐ＿ｓｔａｔｅ」が「Ｉｎａｃｔｉｖｅ＿ｐｅｎｄｉｎｇ  ｓｔａｔｅ」又は「ａｃｔｉｖｅ  ｓｔａｔｅ」であるセッションを局部的に解除することを特徴とする項目１６に記載の移動通信システム。
（項目１８）
前記移動局が、
前記検査結果から前記基地局情報が「Ｎｏｒｍａｌ」でなく、「ＲＬ  Ｆａｉｌｕｒｅ」でもないと、現在確立されているパケットサービスのセッションを維持することを特徴とする項目１３に記載の移動通信システム。
（項目１９）
呼解除要求メッセージを基地局に送信した後、前記基地局から呼解除応答メッセージは受信されずに無線呼解除メッセージのみが受信されると、前記基地局に無線呼解除完了メッセージを送信し、前記受信された無線呼解除メッセージに含まれた基地局情報を検査し、前記検査結果に基づいて、現在確立されているパケットサービスのセッションを局部的に解除する移動局と、
前記移動局から送信された前記呼解除要求メッセージを受信した後、前記移動局に呼解除応答メッセージ及び無線呼解除メッセージを送信する基地局と、
を含むことを特徴とする移動通信システム。
（項目２０）
前記移動局が、
前記検査結果から前記基地局情報が「Ｎｏｒｍａｌ」であると、現在確立されているパケットサービスのセッションのうち「ｐｄｐ＿ｓｔａｔｅ」が「Ｉｎａｃｔｉｖｅ＿ｐｅｎｄｉｎｇ  ｓｔａｔｅ」であるセッションを局部的に解除することを特徴とする項目１９に記載の移動通信システム。
（項目２１）
前記移動局が、
前記検査結果から前記基地局情報が「ＲＬ  Ｆａｉｌｕｒｅ」であると、現在確立されているパケットサービスのセッションのうち「ｐｄｐ＿ｓｔａｔｅ」が「Ｉｎａｃｔｉｖｅ＿ｐｅｎｄｉｎｇ  ｓｔａｔｅ」又は「ａｃｔｉｖｅ  ｓｔａｔｅ」であるセッションを局部的に解除することを特徴とする項目１９に記載の移動通信システム。
（項目２２）
前記移動局が、
前記検査結果から前記基地局情報が「Ｎｏｒｍａｌ」でなく、「ＲＬ  Ｆａｉｌｕｒｅ」でもないと、現在確立されているパケットサービスのセッションを維持することを特徴とする項目１９に記載の移動通信システム。
【発明の効果】
【００１９】
本発明は、パケットサービスの呼解除手順を実行するとき、ＭＳからＢＳに呼解除要求メッセージを送信した後、その応答メッセージとして前記ＢＳから呼解除応答メッセージが受信されていない状態で、無線呼解除メッセージが受信されと、前記ＭＳは、前記ＢＳから受信された前記無線呼解除メッセージに含まれた基地局情報を検査し、該検査結果から前記基地局情報が「Ｎｏｒｍａｌ」であると、前記ＢＳから送信された前記呼解除応答メッセージが送信中に消失されたと認識して、前記パケットサービスのために確立されたセッションを解除し、無線呼解除終了メッセージを前記ＢＳに送信することで、前記ＭＳ及び前記ＢＳの状態を一致させ、よって、次回に前記ＭＳがパケットサービスを利用するために呼接続を試みるとき、該呼接続率を向上し得るという効果がある。
【００２０】
また、本発明は、パケットサービスの呼解除手順中でなく、パケットサービス実行中又は呼接続中にＢＳからＭＳに無線呼解除メッセージが受信されたとき、前記無線呼解除メッセージに含まれた基地局情報が「ＲＬ  Ｆａｉｌｕｒｅ」であると、前記ＭＳが、前記ＢＳと関連した無線呼資源及びセッションを解除することにより、次の呼接続時にセッションの確立手順の信頼性を向上し得るという効果がある。
【発明を実施するための最良の形態】
【００２１】
以下、パケットサービス中、又は前記パケットサービスの呼解除手順の実行中に、基地局（ＢＳ）から送信された無線呼解除要求メッセージに含まれた基地局情報（すなわち、ｃａｕｓｅ）を検査し、前記検査結果に基づいて、現在設定されているセッションを選択的に解除し、呼を解除することにより、後に呼接続を再び行うとき、前記移動局（ＭＳ）の呼接続率及びセッション手順の信頼性を向上し得る移動通信システム及びそのセッション解除方法の好ましい実施形態に対し図１ないし図２Ａ及び図２Ｂを参照して詳細に説明する。
【００２２】
従来技術に係る移動通信システムのセッション解除方法は、正常な場合（即ち、呼解除応答メッセージの遺失がない場合）の呼解除手順によってのみパケットサービスの呼解除を実行（図４に示す）していたが、本発明に係る移動通信システムのセッション解除方法は、非正常な場合（即ち、前記呼解除応答メッセージの消失がある場合）の呼解除手順を追加することで、前記パケットサービスの呼解除を正常に実行し、よって、次の呼接続を試みる際、ＭＳとＢＳ間の状態が不一致になって呼接続率が低下する問題点を解決しようとするものである。
【００２３】
すなわち、パケットサービスの呼解除手順を実行するとき、ＭＳはパケットサービスに対する呼解除要求メッセージをＢＳに伝送することで、前記呼解除要求メッセージに対する前記ＢＳの応答を待機する。
【００２４】
従って、前記ＢＳから呼解除応答メッセージが受信され、次いで、無線呼解除メッセージ（ＲＲＣ  Ｃｏｎｎｅｃｔｉｏｎ  Ｒｅｌｅａｓｅ（ｃａｕｓｅ＝Ｎｏｒｍａｌ））が前記ＭＳに受信されると、該ＭＳは、前記ＢＳに無線呼解除終了メッセージを伝送することで、前記パケットサービスのために確立されたセッションを解除し、無線呼を解除することで、前記パケットサービスの呼解除手順を終了する。
【００２５】
ここで、前記ＭＳは、前記ＢＳに前記呼解除要求メッセージを送信した後、前記ＢＳから呼解除応答メッセージは受信されずに無線呼解除メッセージのみが前記ＭＳに受信されると、前記ＢＳに無線呼解除完了メッセージを伝送し、前記受信された無線呼解除メッセージに含まれた基地局情報（すなわち、ｃａｕｓｅ）を検査する。
【００２６】
その後、前記ＭＳは、前記検査結果に基づいて、前記基地局情報が「Ｎｏｒｍａｌ」であり「ＲＲＣ  Ｃｏｎｎｅｃｔｉｏｎ  Ｒｅｌｅａｓｅ（ｃａｕｓｅ＝Ｎｏｒｍａｌ）」メッセージが受信されると、前記パケットサービスのため確立されたセッションが正常に解除されたと認識して、現在確立されているパケットサービスのセッションを解除する。ここで、前記ＭＳは、「ｐｄｐ＿ｓｔａｔｅ」が「Ｉｎａｃｔｉｖｅ＿ｐｅｎｄｉｎｇ  ｓｔａｔｅ」であるセッションを局部的に（ｌｏｃａｌｌｙ）解除することが望ましい。ここで、前記「ｐｄｐ＿ｓｔａｔｅ」とは、パケットデータプロトコル状態（Ｐａｃｋｅｔ  Ｄａｔａ  Ｐｒｏｔｏｃｏｌ  ｓｔａｔｅ）を示し、前記「ｐｄｐ＿ｓｔａｔｅ」が「Ｉｎａｃｔｉｖｅ＿ｐｅｎｄｉｎｇ  ｓｔａｔｅ」であるということは、前記ＭＳによるパケットサービスの呼解除の要求により、移動通信システムにおけるパケットサービスのセッション解除手順が実行中であることを示す。
【００２７】
また、本発明に係る移動通信システムのセッション解除方法は、パケットサービスの呼解除手順の実行中でなく、パケットサービスの提供中に通信ネットワークに問題が発生したため、ＭＳがＢＳから無線呼解除メッセージを受信した場合、前記無線呼解除メッセージに含まれた基地局情報を検査し、該検査結果に基づいて前記基地局情報が「ＲＬ  Ｆａｉｌｕｒｅ」で、「ＲＲＣ  Ｃｏｎｎｅｃｔｉｏｎ  Ｒｅｌｅａｓｅ（ｃａｕｓｅ＝ＲＬ  Ｆａｉｌｕｒｅ）」メッセージが受信された場合、通信ネットワークに問題が発生したと認識して前記パケットサービスのために現在確立されているセッションを解除する。このとき、前記ＭＳは、「ｐｄｐ＿ｓｔａｔｅ」が「Ｉｎａｃｔｉｖｅ＿ｐｅｎｄｉｎｇ  ｓｔａｔｅ」又は「ａｃｔｉｖｅ  ｓｔａｔｅ」であるセッションを解除することが望ましい。ここで、「ｐｄｐ＿ｓｔａｔｅ」が「ａｃｔｉｖｅ  ｓｔａｔｅ」であるということは、ＭＳとＢＳとの間にパケットサービスが実行中であることを示す。
【００２８】
図１は、本発明に係る移動通信システムのセッション解除方法を示した説明図で、パケットサービスの実行中又はパケットサービスの呼解除手順の実行中におけるＭＳとＢＳとの間のメッセージの伝送過程を示したものである。
【００２９】
図１に示すように、本発明に係る移動通信システムのセッション解除方法は、ＭＳがパケットサービスに対する呼解除要求メッセージをＢＳに伝送することで、前記呼解除要求メッセージに対する前記ＢＳの応答を待機する段階と、前記ＢＳから呼解除応答メッセージが受信されずに無線呼解除メッセージのみが前記ＭＳに受信されると、前記ＭＳが前記ＢＳに無線呼解除完了メッセージを伝送し、前記受信された無線呼解除メッセージに含まれた基地局情報を検査する段階と、該検査結果、前記基地局情報が「Ｎｏｒｍａｌ」であるとき、即ち、前記ＭＳが「ＲＲＣ  Ｃｏｎｎｅｃｔｉｏｎ  Ｒｅｌｅａｓｅ（ｃａｕｓｅ＝Ｎｏｒｍａｌ）」メッセージを受信した場合は、前記パケットサービスを提供するために確立されたセッションが正常に解除されたと認識して現在確立されているセッション（即ち、「ｐｄｐ＿ｓｔａｔｅ」が「Ｉｎａｃｔｉｖｅ＿ｐｅｎｄｉｎｇ  ｓｔａｔｅ」であるセッション）を局部的に解除し、前記基地局情報が「ＲＬ  Ｆａｉｌｕｒｅ」であるとき、即ち、前記ＭＳが「ＲＲＣ  Ｃｏｎｎｅｃｔｉｏｎ  Ｒｅｌｅａｓｅ（ｃａｕｓｅ＝  ＲＬ  Ｆａｉｌｕｒｅ）」メッセージを受信した場合は、通信ネットワークに問題が発生したと認識して前記パケットサービスのために現在確立されているセッション（即ち、「ｐｄｐ＿ｓｔａｔｅ」が「Ｉｎａｃｔｉｖｅ＿ｐｅｎｄｉｎｇ  ｓｔａｔｅ」又は「ａｃｔｉｖｅ  ｓｔａｔｅ」であるセッション）を解除し、前記基地局情報が「Ｎｏｒｍａｌ」と「ＲＬ  Ｆａｉｌｕｒｅ」以外の場合は、現在確立されているセッションをそのまま維持する段階と、を含んで行うことを特徴とする。
【００３０】
また、図２Ａ及び図２Ｂは、本発明に係る移動通信システムのセッション解除方法を示すフローチャートである。
【００３１】
図２Ａ及び図２Ｂに示すように、本発明に係る移動通信システムのセッション解除方法においては、まず、ＭＳは、待機状態（ｉｄｌｅ  ｓｔａｔｅ）で移動通信加入者の命令を待機する（ＳＴＥＰ１）。
【００３２】
次いで、前記移動通信加入者がパケットサービスを利用するために前記ＭＳに呼接続実行の命令を入力すると、前記ＭＳは、前記ＢＳに呼接続を試みて呼を設定し、パケットデータプロトコルを活性化（ａｃｔｉｖａｔｅ）することで、前記パケットサービスのためのセッション手順を実行して、前記移動通信加入者に前記パケットサービスを提供する（ＳＴＥＰ２→ＳＴＥＰ３）。
【００３３】
その後、前記ＭＳは、呼終了判断段階に進行し、前記ＭＳに割り当てられた呼終了命令が入力されたか否かを確認する。ここで、前記確認結果、現在呼終了命令が入力されていない場合、現在確立されているパケットサービスのセッションを維持して、前記パケットサービスを継続提供する（ＳＴＥＰ４）。
【００３４】
ここで、移動通信加入者が呼終了命令を入力すると、ＭＳは、パケットサービスのセッションを解除するために呼解除要求メッセージをＢＳに送信した後、前記呼解除要求メッセージに対する前記ＢＳの応答を待機する（ＳＴＥＰ５）。
【００３５】
すなわち、前記ＢＳは、前記呼解除要求メッセージを前記ＭＳから受信した後、前記呼解除要求メッセージに対する応答としてセッション解除を通知する呼解除応答メッセージを前記ＭＳに送信する。
【００３６】
次に、前記ＢＳは、前記ＭＳに無線呼を解除するための無線呼解除メッセージを送信する。このとき、前記呼解除応答メッセージが送信中に消失されたゆえに前記ＭＳに前記呼解除応答メッセージが受信されていなくても、前記ＢＳは、前記呼解除応答メッセージの消失とは関係なく、前記無線呼解除メッセージを前記ＭＳに送信する。
【００３７】
前記ＭＳは、前記ＢＳから前記呼解除応答メッセージが受信されたか否かに関係なく、前記無線呼解除メッセージが受信されると、無線呼解除終了メッセージを前記ＢＳに送信し、前記無線呼解除メッセージに含まれた基地局情報を検査する（ＳＴＥＰ６）。
【００３８】
該検査結果、前記無線呼解除メッセージに含まれた基地局情報が「Ｎｏｒｍａｌ」であるとき、即ち、前記ＭＳが「ＲＲＣ  Ｃｏｎｎｅｃｔｉｏｎ  Ｒｅｌｅａｓｅ（ｃａｕｓｅ＝Ｎｏｒｍａｌ）」メッセージを受信した場合、前記ＭＳは、前記呼解除応答メッセージが前記ＢＳから送信中に消失されたと認識し、現在確立されているパケットサービスのセッションを解除する。ここで、前記ＭＳは、「ｐｄｐ＿ｓｔａｔｅ」が「Ｉｎａｃｔｉｖｅ＿ｐｅｎｄｉｎｇ  ｓｔａｔｅ」であるセッションを局部的に解除することが望ましい（ＳＴＥＰ７→ＳＴＥＰ８）。
【００３９】
かつ、前記無線呼解除メッセージに含まれた前記基地局情報が「ＲＬ  Ｆａｉｌｕｒｅ」であるとき、即ち、前記ＭＳが「ＲＲＣ  Ｃｏｎｎｅｃｔｉｏｎ  Ｒｅｌｅａｓｅ（ｃａｕｓｅ＝ＲＬ  Ｆａｉｌｕｒｅ）」メッセージを受信した場合、前記ＭＳは、通信ネットワークに問題が発生したと認識し、現在確立されているパケットサービスのセッションを解除する。ここで、前記ＭＳは「ｐｄｐ＿ｓｔａｔｅ」が「Ｉｎａｃｔｉｖｅ＿ｐｅｎｄｉｎｇ  ｓｔａｔｅ」又は「ａｃｔｉｖｅ  ｓｔａｔｅ」であるセッションを局部的に解除することが望ましい（ＳＴＥＰ９→ＳＴＥＰ１０）。
【００４０】
前記基地局情報が「Ｎｏｒｍａｌ」でなく、「ＲＬ  Ｆａｉｌｕｒｅ」でもない場合は、現在確立されているセッションをそのまま維持する（ＳＴＥＰ１１）。
【００４１】
ここで、前記「ｐｄｐ＿ｓｔａｔｅ」とは、パケットデータプロトコル状態（Ｐａｃｋｅｔ  Ｄａｔａ  Ｐｒｏｔｏｃｏｌ  ｓｔａｔｅ）を示し、前記「ｐｄｐ＿ｓｔａｔｅ」が「Ｉｎａｃｔｉｖｅ＿ｐｅｎｄｉｎｇ  ｓｔａｔｅ」であるということは、前記ＭＳによるパケットサービスの呼解除の要求により、移動通信システムにおけるパケットサービスのセッション解除手順が実行中であることを示し、「ｐｄｐ＿ｓｔａｔｅ」が「ａｃｔｉｖｅ  ｓｔａｔｅ」であるということは、ＭＳとＢＳとの間にパケットサービスが実行中であることを示す。
【００４２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４３】
パケットサービスのための移動局の呼接続率を向上し、セッション確立手順の信頼性を向上し得る移動通信システム及びそのセッション解除方法を提供する。
【００４４】
本発明に係る移動通信システムのセッション解除方法は、基地局から移動局に無線呼解除メッセージが受信されると、前記受信された無線呼解除メッセージに含まれた基地局情報を検査する段階と、前記検査結果に基づいて現在確立されているパケットサービスのセッションを局部的に解除する段階と、を含む。
【図面の簡単な説明】
【００４５】
【図１】本発明に係る移動通信システムのセッション解除方法を示す説明図である。
【図２Ａ】本発明に係る移動通信システムのセッション解除方法のフローチャートである。
【図２Ｂ】本発明に係る移動通信システムのセッション解除方法のフローチャートである。
【図３】一般の移動通信システムを示す図である。
【図４】従来の移動通信システムの正常なパケットサービスの呼解除手順を示す説明図である。
【符号の説明】
【００４６】
１０、２０：移動局（ＭＳ）
３０：基地局（ＢＳ）
４０：  ネットワーク
【図１】
2006005936.tif 000003
【図２Ａ】
2006005936.tif 000004
【図２Ｂ】
2006005936.tif 000005
【図４】
2006005936.tif 000006
【図３】
2006005936.tif 000007